(57)【要約】【課題】協調送信を行う場合において、周波数オフセットに伴う受信性能の劣化を改善すること。【解決手段】情報取得部１０１は、協調送信が可能であると判断された移動端末と協調元基地局との間で設定した上りスケジューリング情報を協調元基地局より取得する。チャネル分離部１０８は、上りスケジューリング情報を参照して、移動端末が協調元基地局に対して送信した上りリンク信号に含まれる参照信号を受信信号より分離する。周波数オフセット推定部１１１は、参照信号に基づいて、協調元基地局と移動端末との間に存在する周波数オフセットΔｆ１と、基地局１００と移動端末との間に存在する周波数オフセットΔｆ２とのオフセット差Δｄｉｆｆを推定する。基地局１００は、協調送信を行う場合において、オフセット差Δｄｉｆｆを補正した下りリンク送信信号を移動端末に対して送信する。【選択図】図３
2014135560.tif 000002
【特許請求の範囲】
【請求項１】
協調送信が可能であると判断された移動端末と前記移動端末への前記協調送信を自局と共に行う他の基地局との間で設定した上りスケジューリング情報を前記他の基地局より取得する取得手段と、
前記移動端末が前記上りスケジューリング情報に従って前記他の基地局に対して送信した信号を受信する受信手段と、
前記受信手段により受信した信号と前記取得手段により取得した前記上りスケジューリング情報とに基づいて、前記他の基地局と前記移動端末との間の第１周波数オフセットに対する、自局と前記移動端末との間の第２周波数オフセットにおけるオフセット差を推定する推定手段と、
前記協調送信を行う場合において前記オフセット差を補正した送信信号を前記移動端末に対して送信する送信手段と、
を具備する基地局。
【請求項２】
前記取得手段は、
前記上りスケジューリング情報が前記他の基地局において更新された際に、更新された前記上りスケジューリング情報を前記他の基地局より取得し、
前記受信手段は、
前記上りスケジューリング情報が前記他の基地局において更新された後は、前記移動端末が更新された前記上りスケジューリング情報に従って前記他の基地局に送信した信号を受信し、
前記推定手段は、
前記上りスケジューリング情報が前記他の基地局において更新された後は、前記上りスケジューリング情報が更新された後に前記受信手段により受信した信号と更新された前記上りスケジューリング情報とに基づいて前記オフセット差を推定する、
請求項１記載の基地局。
【請求項３】
前記取得手段は、
前記上りスケジューリング情報に加えて、前記他の基地局に固有のパラメータを前記他の基地局より取得し、
前記推定手段は、
前記上りスケジューリング情報を参照して、前記他の基地局が前記移動端末に割り当てたリソースを特定し、前記移動端末が前記リソースを用いて前記他の基地局に送信した参照信号を前記受信手段により受信した信号より分離し、前記取得手段により取得した前記パラメータより前記参照信号のレプリカを生成するとともに、分離した前記参照信号と前記レプリカとの相関を求めることにより前記オフセット差を推定する、
請求項１記載の基地局。
【請求項４】
基地局における周波数オフセット推定方法であって、
協調送信が可能であると判断された移動端末と前記移動端末への前記協調送信を自局と共に行う他の基地局との間で設定した上りスケジューリング情報を前記他の基地局より取得するステップと、
前記移動端末が前記上りスケジューリング情報に従って前記他の基地局に対して送信した信号を受信するステップと、
受信した前記信号と取得した前記上りスケジューリング情報とに基づいて、前記他の基地局と前記移動端末との間の第１周波数オフセットに対する、自局と前記移動端末との間の第２周波数オフセットにおけるオフセット差を推定するステップと、
を具備する周波数オフセット推定方法。
【発明の詳細な説明】
【技術分野】
【０００１】
本発明は、自セル内に存在する移動端末に対して他の基地局と協調して送信を行う基地局及び周波数オフセット推定方法に関する。
【背景技術】
【０００２】
近年、３ＧＰＰ ＬＴＥ（3rd Generation Partnership Project Long Term Evolution）よりも更なる通信の高速化を実現する３ＧＰＰ ＬＴＥ−Ａｄｖａｎｃｅｄ（「ＬＴＥ−Ａシステム」と呼ばれることがある）の標準化が行われている。３ＧＰＰＬＴＥ−Ａｄｖａｎｃｅｄでは、カバーエリアの大きさが異なる複数の基地局を用いたヘテロジニアスネットワーク（Heterogeneous Network：HetNet）が用いられている。ＬＴＥ−Ａｄｖａｎｃｅｄでは、ヘテロジニアスネットワークにおいて、主にセルエッジに存在するユーザのスループットを向上させることを目的として、複数のセル（基地局）が協調して端末へデータを送信する通信方式である、協調送信（ＣｏＭＰ：Coordinated Multiple-Point transmission and reception）を行う。
【０００３】
また、ＬＴＥ−Ａｄｖａｎｃｅｄでは、下りリンクの無線アクセス方式としてＯＦＤＭＡ（Orthogonal Frequency Division Multiple Access）が採用されている。ＬＴＥ−Ａｄｖａｎｃｅｄで採用されているＯＦＤＭＡでは、基地局と移動端末との間の周波数誤差である周波数オフセットを、高精度に補償する必要がある。即ち、ＬＴＥ−Ａｄｖａｎｃｅｄの下りリンクで採用されているＯＦＤＭＡでは、下りリンクの受信特性の劣化を抑えるために、周波数オフセットを０．０１ｐｐｍ程度に補償する必要がある。このため、現行でサービスインされているＬＴＥに対応した移動端末は、周波数オフセットによる受信特性の劣化を改善するために、ＡＦＣ（Automatic Frequency Control）機能を搭載している。ここで、周波数オフセットとは、基地局と移動端末の基準クロック発振器の個体差及び発信器の温度変化などに起因して生じる、送受信間のキャリア周波数誤差を指す。
【０００４】
従来、ＡＦＣ機能を搭載した移動端末としては、例えば特許文献１に示すものが知られている。図１は、特許文献１に示す通信システム１０の構成を示す図である。
【０００５】
通信システム１０では、移動端末１１は、基地局１２から送信された下りリンクの信号を用いて、基地局１２との間の周波数オフセットΔｆ０を測定し、測定した周波数オフセットΔｆ０をＡＦＣにより補正している。これにより、通信システム１０では、高精度に周波数同期を行うことができる。
【先行技術文献】
【特許文献】
【０００６】
【特許文献１】特開平７−９５１７５号公報
【発明の概要】
【発明が解決しようとする課題】
【０００７】
しかしながら、ＬＴＥ−Ａｄｖａｎｃｅｄで標準化されている協調送信を行う通信システムにおいては、ＡＦＣにより周波数オフセットを補正しているにも関わらず、下りリンクの受信特性の劣化を招くという問題がある。
【０００８】
即ち、図２に示すように、基地局５０と基地局６０とが協調送信を行う場合、移動端末７０には、基地局５０及び基地局６０の各々からの送信信号が合成された信号が到来する。協調送信は、複数の基地局から同一の信号を送信し、移動端末にてそれらの信号が合成された信号を受信することで、１つの強い信号が到来したと認識させる技術である。そのため、移動端末７０は、基地局５０から到来した信号と基地局６０から到来した信号とを区別することができない。また、基地局５０から到来した信号と基地局６０から到来した信号とを区別可能にした場合には、協調送信自体が成立しない。したがって、移動端末７０は、基地局５０及び基地局６０からの送信信号の各々に対して個別にＡＦＣ動作をすることができないため、合成された信号を用いてＡＦＣを行う。つまり、移動端末７０は、たとえ各基地局の周波数オフセットの情報を得ることができたとしても、合成された信号を構成する各信号から周波数オフセットを補償することはできない。そのため、移動端末７０によるＡＦＣでは、合成された信号のうちの基地局５０から到来した信号に対しても基地局６０の周波数オフセットを補償する処理が行われたり、合成された信号のうちの基地局６０から到来した信号に対しても基地局５０の周波数オフセットを補償する処理が行われたりしてしまう。この結果、ＡＦＣ後の信号には、基地局５０と基地局６０とにおける基準クロック発振器の個体差及び温度変化の相違などに伴って、オフセット差Δｄｉｆｆが残留し、受信性能の劣化を招く。
【０００９】
本発明の目的は、複数の基地局間で協調送信を行う場合において、基地局間の周波数オフセット差に伴う受信性能の劣化を改善することができる基地局及び周波数オフセット推定方法を提供することである。
【課題を解決するための手段】
【００１０】
本発明に係る基地局は、協調送信が可能であると判断された移動端末と前記移動端末への前記協調送信を自局と共に行う他の基地局との間で設定した上りスケジューリング情報を前記他の基地局より取得する取得手段と、前記移動端末が前記上りスケジューリング情報に従って前記他の基地局に対して送信した信号を受信する受信手段と、前記受信手段により受信した信号と前記取得手段により取得した前記上りスケジューリング情報とに基づいて、前記他の基地局と前記移動端末との間の第１周波数オフセットに対する、自局と前記移動端末との間の第２周波数オフセットにおけるオフセット差を推定する推定手段と、前記協調送信を行う場合において前記オフセット差を補正した送信信号を前記移動端末に対して送信する送信手段と、を具備する。
【００１１】
本発明に係る周波数オフセット推定方法は、基地局における周波数オフセット推定方法であって、協調送信が可能であると判断された移動端末と前記移動端末への前記協調送信を自局と共に行う他の基地局との間で設定した上りスケジューリング情報を前記他の基地局より取得するステップと、前記移動端末が前記上りスケジューリング情報に従って前記他の基地局に対して送信した信号を受信するステップと、受信した前記信号と取得した前記上りスケジューリング情報とに基づいて、前記他の基地局と前記移動端末との間の第１周波数オフセットに対する、自局と前記移動端末との間の第２周波数オフセットにおけるオフセット差を推定するステップと、を具備する。
【発明の効果】
【００１２】
本発明によれば、協調送信を行う場合において、周波数オフセットに伴う受信性能の劣化を改善することができる。
【図面の簡単な説明】
【００１３】
【図１】特許文献１に示す通信システムの構成を示す図
【図２】従来の協調送信を行う通信システムの構成を示す図
【図３】本発明の実施の形態に係る基地局の構成を示すブロック図
【図４】本発明の実施の形態における協調元基地局及び協調先基地局の動作を示すシーケンス図
【図５】本発明の実施の形態における協調送信の動作を示す図
【発明を実施するための形態】
【００１４】
以下、本発明の実施の形態について、図面を参照して詳細に説明する。
【００１５】
（実施の形態）
＜基地局の構成＞
本発明の実施の形態に係る基地局１００の構成について、図３を用いて説明する。
【００１６】
基地局１００は、情報取得部１０１と、アンテナ１０２と、ＲＦ受信回路１０３と、ＡＤ部１０４と、ＡＤ部１０５と、ＣＰ除去部１０６と、ＦＦＴ部１０７と、チャネル分離部１０８と、復調部１０９と、復号部１１０と、周波数オフセット推定部１１１と、ＤＡ部１１２と、発振器１１３と、送信信号生成部１１４と、ＲＦ送信回路１１５と、アンテナ１１６とから主に構成されている。
【００１７】
なお、図３を用いた説明において、基地局１００と協調して協調送信を行う他の基地局であって、基地局１００に対して協調送信の要求を行う他の基地局を「協調元基地局」と記載する。ただし、図３では、協調元基地局の記載を省略している。
【００１８】
情報取得部１０１は、協調元基地局より上りスケジューリング情報を取得してチャネル分離部１０８に出力する。情報取得部１０１は、協調元基地局に固有のパラメータを協調元基地局より取得して周波数オフセット推定部１１１に出力する。ここで、上りスケジューリング情報は、協調元基地局と協調送信の対象である移動端末（以下、単に「移動端末」と記載する）（図３では省略）との間で設定され、上りリンクを用いて移動端末から協調先基地局へ信号を送信する際に用いる情報である。上りスケジューリング情報は、例えば、協調元基地局が移動端末に対して割り当てた、上りリンクのリソースを示すリソースブロック割り当て情報である。また、パラメータは、後述する周波数オフセット推定部１１１において参照信号のレプリカを生成するために用いられるものである。
【００１９】
情報取得部１０１は、協調元基地局において上りスケジューリング情報が更新される毎に、更新された上りスケジューリング情報を協調元基地局より取得してチャネル分離部１０８に出力する。
【００２０】
ＲＦ受信回路１０３は、自セル内に存在する移動端末よりアンテナ１０２を介して受信した受信信号を直交検波してＩ成分信号とＱ成分信号とを生成する。ＲＦ受信回路１０３は、生成したＩ成分信号をＡＤ部１０４に出力するとともに、生成したＱ成分信号をＡＤ部１０５に出力する。
【００２１】
ＡＤ部１０４は、ＲＦ受信回路１０３から入力されたＩ成分信号を、アナログ信号からディジタル信号に変換してＣＰ除去部１０６に出力する。
【００２２】
ＡＤ部１０５は、ＲＦ受信回路１０３から入力されたＱ成分信号を、アナログ信号からディジタル信号に変換してＣＰ除去部１０６に出力する。
【００２３】
ＣＰ除去部１０６は、ＡＤ部１０４から入力されたＩ成分信号においてＯＦＤＭシンボルの先頭に付加されているＣＰ（Cyclic Prefix）を除去してＦＦＴ部１０７に出力する。ＣＰ除去部１０６は、ＡＤ部１０５から入力されたＱ成分信号においてＯＦＤＭシンボルの先頭に付加されているＣＰを除去してＦＦＴ部１０７に出力する。
【００２４】
ＦＦＴ部１０７は、ＣＰ除去部１０６から入力されたＩ成分信号及びＱ成分信号をフーリエ変換（ＦＦＴ：Fast Fourier Transform）してチャネル分離部１０８に出力する。
【００２５】
チャネル分離部１０８は、ＦＦＴ部１０７から入力されたＦＦＴ後の信号よりデータチャネルの信号を分離して復調部１０９に出力する。チャネル分離部１０８は、情報取得部１０１から入力された上りスケジューリング情報を参照して、ＦＦＴ部１０７から入力されたＦＦＴ後の信号より、移動端末が協調元基地局に対して送信した上り参照信号（既知信号）を分離する。具体的には、チャネル分離部１０８は、情報取得部１０１から入力された上りスケジューリング情報を参照して、協調元基地局が移動端末に割り当てたリソースを特定する。そして、チャネル分離部１０８は、特定したリソースを用いて移動端末が協調元基地局に対して送信した上り参照信号を、ＦＦＴ後の信号より分離する。
【００２６】
チャネル分離部１０８は、情報取得部１０１から更新された上りスケジューリング情報が入力される毎に、更新された上りスケジューリング情報を参照して、ＦＦＴ部１０７から入力されたＦＦＴ後の信号より、上りスケジューリング情報を更新した後に移動端末が協調元基地局に対して送信した上り参照信号（既知信号）を分離する。チャネル分離部１０８は、分離した上り参照信号を周波数オフセット推定部１１１に出力する。ここで、上り参照信号は、例えば各基地局に固有の信号である。
【００２７】
復調部１０９は、チャネル分離部１０８から入力された上り参照信号を用いて、チャネル分離部１０８から入力されたデータチャネルの信号を復調して復調信号を生成し、生成した復調信号を復号部１１０に出力する。
【００２８】
復号部１１０は、復調部１０９から入力された復調信号を復号して受信データとして出力する。
【００２９】
周波数オフセット推定部１１１は、情報取得部１０１から入力されたパラメータを用いて、協調元基地局と移動端末との間で既知の参照信号のレプリカを生成する。周波数オフセット推定部１１１は、チャネル分離部１０８から入力された上り参照信号と生成した参照信号のレプリカとの相関を求めてオフセット差Δｄｉｆｆを推定する。
【００３０】
具体的には、周波数オフセット推定部１１１は、チャネル分離部１０８から入力された上り参照信号と生成した上り参照信号のレプリカとを用いて、時間的に離れた位置(シンボル間)毎の位相回転ベクトルを算出する。周波数オフセット推定部１１１は、複数の乗算結果に基づいて算出される位相回転ベクトルを用いて、算出した複数の位相回転ベクトルを時間方向で合成することにより時間合成位相回転ベクトルを取得する。そして、周波数オフセット推定部１１１は、取得した時間合成位相回転ベクトルに基づいてオフセット差Δｄｉｆｆを推定する。
【００３１】
ここで、オフセット差Δｄｉｆｆは、協調元基地局と移動端末との間の周波数オフセットΔｆ１に対する、協調先基地局である基地局１００と移動端末との間の周波数オフセットΔｆ２におけるオフセット差に相当する（Δｄｉｆｆ＝Δｆ２−Δｆ１）。周波数オフセット推定部１１１は、移動端末から協調元基地局に送信する上り参照信号を利用して周波数オフセットを推定することにより、オフセット差Δｄｉｆｆを直接推定することができる。即ち、周波数オフセット推定部１１１は、周波数オフセットΔｆ１及び周波数オフセットΔｆ２を各々推定することなく、オフセット差Δｄｉｆｆを推定することができる。具体的には、移動端末は、協調送信を開始する前に、協調元基地局との間で周波数オフセットΔｆ１の補正を行っている。この状態において協調送信を開始した場合、移動端末において既に周波数オフセットΔｆ１を補正した上り参照信号を用いて、基地局１００において推定した周波数オフセットは、オフセット差Δｄｉｆｆになる。
【００３２】
周波数オフセット推定部１１１は、推定したオフセット差ΔｄｉｆｆをＤＡ部１１２に出力する。
【００３３】
ＤＡ部１１２は、周波数オフセット推定部１１１から入力されたオフセット差Δｄｉｆｆに基づいて、オフセット差Δｄｉｆｆに対応するアナログ電圧に変換して、発振器１１３の発振周波数を制御する。
【００３４】
発振器１１３は、ＤＡ部１１２の制御に従って所定の発振周波数を生成してＲＦ送信回路１１５に出力する。
【００３５】
送信信号生成部１１４は、入力された送信データを符号化及び変調して送信信号を生成し、生成した送信信号をＲＦ送信回路１１５に出力する。
【００３６】
ＲＦ送信回路１１５は、発振器１１３から入力された発振周波数に基づいて、送信信号生成部１１４から入力された送信信号を高周波数に周波数変換することにより、オフセット差Δｄｉｆｆを補正する。ＲＦ送信回路１１５は、オフセット差Δｄｉｆｆを補正した送信信号を、アンテナ１１６を介して移動端末に送信する。
【００３７】
＜協調元基地局及び協調先基地局の動作＞
本発明の実施の形態における協調元基地局及び協調先基地局の動作について、図４を用いて説明する。なお、図４において、協調先基地局である基地局１００は、図３の基地局１００と同一構成を有している。
【００３８】
まず、協調元基地局である他の基地局２００は、例えば移動端末が基地局２００のセルエッジに移動することにより受信品質が低下した際に、基地局１００に対して協調動作を要求する（ステップＳＴ５０１）。基地局２００は、例えば、移動端末からの受信信号の受信品質を示す測定値が閾値以下になった場合に、受信品質が低下したものと判断する。
【００３９】
基地局１００は、協調動作が可能な場合には、基地局２００に対して許可する旨を通知する（ステップＳＴ５０２）。
【００４０】
次に、基地局２００は、協調対象の移動端末の情報、基地局２００に固有のパラメータを含む下りスケジューリング情報、及び上りスケジューリング情報を基地局１００に通知する（ステップＳＴ５０３）。
【００４１】
以後、基地局２００は、上りスケジューリング情報の更新が発生するごとに、基地局１００に対して更新した上りスケジューリング情報を通知する（ステップＳＴ５０４、ＳＴ５０５、ＳＴ５０７、ＳＴ５０８）。すなわち、基地局１００は、常に最新の上りスケジューリング情報の通知を受ける。
【００４２】
基地局１００は、情報取得部１０１において取得された最新の上りスケジューリング情報をチャネル分離部１０８に通知する。また、基地局１００は、チャネル分離部１０８において最新の上りスケジューリング情報に基づいて参照信号を分離する。そして、基地局１００は、分離した参照信号に基づいて周波数オフセット推定部１１１においてオフセット差を求めて協調送信を行う。
【００４３】
次に、基地局１００と基地局２００とは、ステップＳＴ５０３において受け渡しした情報を用いて移動端末に対して協調送信を行う（ステップＳＴ５０６）。この際、基地局１００は、オフセット差Δｄｉｆｆを補正した送信信号を送信するので、移動端末における受信性能の劣化を改善することができる。なお、協調送信の際の動作については後述する。
【００４４】
基地局１００は、更新された上りスケジューリング情報を情報取得部１０１において取得した際に、更新された上りスケジューリング情報をチャネル分離部１０８に通知する。また、基地局１００は、チャネル分離部１０８において、更新された上りスケジューリング情報に基づいて参照信号を分離する。そして、基地局１００は、分離した参照信号に基づいて周波数オフセット推定部１１１においてオフセット差を求めて協調送信を行う。以後は上記の処理を繰り返す。
【００４５】
＜協調送信の動作＞
本発明の実施の形態における協調送信の動作について、図５を用いて説明する。図５は、図４のステップＳＴ５０６における動作を示す図である。なお、図５において、図４と同一動作を行う基地局には同一符号を付している。
【００４６】
まず、基地局２００は、移動端末３００に対して下り信号を送信する。（ステップＳＴ６０１）。ここで、移動端末３００は、基地局２００による協調送信が可能と判断された移動端末であり、基地局１００が設置されているセル＃Ｓ１内に存在する。なお、協調送信が可能か否かの判断方法は、ＬＴＥ−Ａｄｖａｎｃｅｄ規格等に記載されているので説明を省略する。セル＃Ｓ１は、基地局２００が設置されているセル＃Ｓ２内に形成される。また、移動端末３００が協調送信可能な移動端末であるか否かは、基地局２００が判断する場合に限らず、基地局２００の上位局が判断してもよい。
【００４７】
移動端末３００は、基地局２００との間の周波数オフセットΔｆ１を、下り信号を用いてＡＦＣにより補正する。
【００４８】
次に、移動端末３００は、周波数オフセットΔｆ１をＡＦＣにより補正した上り信号を送信する（ステップＳＴ６０２）。
【００４９】
基地局１００は、協調送信を開始する場合、移動端末３００が基地局２００に対して送信した上り参照信号を受信する（ステップＳＴ６０３）。この際、基地局１００が移動端末３００から受信する上り参照信号は、周波数オフセットΔｆ１が補正された信号である。
【００５０】
基地局１００は、周波数オフセット推定部１１１において、ステップＳＴ６０３で受信した上り参照信号を用いてオフセット差Δｄｉｆｆを推定する（ステップＳＴ６０４）。
【００５１】
次に、基地局１００は、ＲＦ送信回路１１５において、送信信号に対してオフセット差Δｄｉｆｆを補正する（ステップＳＴ６０５）。
【００５２】
次に、基地局１００は、オフセット差Δｄｉｆｆを補正した送信信号を移動端末３００に対して送信する（ステップＳＴ６０６）。この結果、基地局１００は、基地局２００と協調送信を行う。
【００５３】
移動端末３００は、協調送信において、基地局２００からのオフセット差Δｆ１を補正した信号を受信するとともに、基地局１００からのオフセット差Δｄｉｆｆを補正した信号を受信するので、受信性能の劣化を改善することができる。
【００５４】
因みに、本実施の形態では、セル＃Ｓ１に存在する協調送信の対象ではない移動端末は、基地局１００との間で従来発生していた周波数オフセットΔｆ２に対して、Δｄｉｆｆが補償された信号を受信することになる。従って、Δｄｉｆｆが正確に求められていれば、基地局１００から協調送信の対象ではない移動端末に届く信号は、基地局２００にて発生している周波数オフセットΔｆ１（＝Δｆ２−Δｄｉｆｆ）が発生したものとなる。ここで、セル＃Ｓ１に存在する協調送信の対象ではない移動端末は、セル＃Ｓ２に存在する移動端末と同等の性能を持つＡＦＣを備えていれば、周波数オフセットΔｆ１を補償することができる。したがって、本実施の形態では、協調送信の対象ではない移動端末において受信性能が劣化する可能性は極めて低い。
【００５５】
＜本実施の形態の効果＞
本実施の形態によれば、協調送信を行う場合において、周波数オフセットに伴う受信性能の劣化を改善することができる。
【００５６】
また、本実施の形態によれば、基地局においてオフセット差を補正するので、ユーザは従来の移動端末をそのまま使用することができ、移動端末を買い替える等の手間を不要にすることできる。
【００５７】
＜本実施の形態の変形例＞
本実施の形態において、２つの基地局が協調送信を行う例を示したが、３つ以上の基地局が協調送信をおこなう際に発生するオフセット差Δｄｉｆｆを補正してもよい。
【００５８】
また、本実施の形態において、互いに協調する基地局のカバーエリアの大きさが異なるヘテロジニアスネットワークを用いたが、互いに協調する基地局のカバーエリアの大きさが同一であるネットワークを用いてもよい。
【００５９】
また、本実施の形態において、上りスケジューリング情報は、リソースブロック割り当て情報であるが、周波数割り当て情報等の任意のリソースを割り当てるための情報を用いることができる。
【００６０】
また、本実施の形態において、周波数オフセットの推定には参照信号とそのレプリカとの相関を利用したが、これに限られるものではない。周波数オフセットの推定としては様々な技術が知られており、本実施の形態にて示した推定手順はあくまでも一例である。すなわち、上りリンクスケジューリング情報と、そのスケジューリング情報に従って移動端末が送信した信号と、必要であれば更に他の情報とを用いて周波数オフセットを推定する手順であれば、どのようなものを使用しても良い。例えば、シンボル毎に付加されるサイクリックプレフィックス（ＣＰ）を用いてシンボル間の時間変動量に対する位相回転ベクトルを算出し周波数オフセットを推定する方法などが挙げられる。
【産業上の利用可能性】
【００６１】
本発明に係る基地局及び周波数オフセット推定方法は、自セル内に存在する移動端末に対して他の基地局と協調して送信を行うのに好適である。
【符号の説明】
【００６２】
１００  基地局
１０１  情報取得部
１０２、１１６  アンテナ
１０３  ＲＦ受信回路
１０４、１０５  ＡＤ部
１０６  ＣＰ除去部
１０７  ＦＦＴ部
１０８  チャネル分離部
１０９  復調部
１１０  復号部
１１１  周波数オフセット推定部
１１２  ＤＡ部
１１３  発振器
１１４  送信信号生成部
１１５  ＲＦ送信回路
【図１】
2014135560.tif 000003
【図２】
2014135560.tif 000004
【図３】
2014135560.tif 000005
【図４】
2014135560.tif 000006
【図５】
2014135560.tif 000007